(57)【要約】【課題】幅木を容易に設置できる可動幅木装置付き足場板を提供する。【解決手段】可動幅木装置付き足場板は、略水平状態に配置される長尺の足場板２ａと、足場板２ａの側面２１に連結した昇降自在な可動幅木装置３０と、を備える。可動幅木装置３０は、シート状の防護ネット４ｎを格納する巻取り装置４０を上部に有する。巻取り装置４０は、防護ネット４ｎを巻回する回転ドラム４１と、防護ネット４ｎが出入り可能な開口部を下端部に設けるケース４２と、ケース４２の周囲を囲う幅木ケース４３と、を有する。幅木ケース４３が引き上げられて足場板２ａから所定の高さに維持された状態では、防護ネット４ｎは、その端部が巻取り装置４０から引き出されて、幅木ケース４３と足場板２ａとの間隙を防護するように、防護ネット４ｎの端部を足場板２ａの側面２１に近接させる。【選択図】図２
2012167487.tif 000002
【特許請求の範囲】
【請求項１】
略水平状態に配置され、帯状に延びる長尺の足場板と、
この足場板の幅方向の側面に連結した昇降自在な可動幅木装置と、を備え、
この可動幅木装置は、
前記足場板の長手方向の長さと略同じ長さを設けるシート状の防護ネットを格納する巻取り装置と、
この巻取り装置を前記足場板に対して略平行に移動可能な昇降機構と、を有し、
前記巻取り装置は、
前記防護ネットを巻回する方向に回転力を付勢された回転ドラムと、
この回転ドラムを囲うと共に、この回転ドラムの軸方向と略平行に開口し、前記防護ネットが出入り可能な開口部を下端部に設ける筒状のケースと、
このケースの両端部を支持すると共に、当該ケースの周囲を囲う幅木ケースと、を有し、
前記幅木ケースが引き上げられて前記足場板から所定の高さに維持された状態では、前記防護ネットは、その端部が前記巻取り装置から引き出されて、前記幅木ケースと前記足場板との間隙を防護するように、当該防護ネットの端部を前記足場板の側面に近接させる可動幅木装置付き足場板。
【請求項２】
前記昇降機構は、
一端部が前記足場板の側面に回動自在に連結する一対の対向する第１アームと、
一端部が前記第１アームの他端部に回動自在に連結し、他端部が前記幅木ケースの長手方向の両翼に回動自在に連結する一対の対向する第２アームと、を備え、
前記第１アームと前記第２アームとが直列に起立した状態では、前記幅木ケースが前記足場板から所定の高さに維持され、
前記第１アームと前記第２アームの連結点が互いに近づく状態では、前記幅木ケースが前記足場板に向かって移動する請求項１記載の可動幅木装置付き足場板。
【請求項３】
前記防護ネットは、その端部に取り付けられ、前記ケースの開口部に当接して当該防護ネットの巻き取りを阻止すると共に、当該防護ネットの引き出しが容易な把持バーを有する請求項２記載の可動幅木装置付き足場板。
【請求項４】
前記第１アームは、Ｃ型チャンネル状の枠部材からなり、
前記第２アームは、対向する一組の帯板部材からなり、
一対の前記第１アームは、前記把持バーの両端部を案内するように、それらの開口を対向配置し、
一対の前記第２アームは、前記把持バーの両端部を案内するように、一組の前記帯板部材が所定の離間距離を有して配置される請求項３記載の可動幅木装置付き足場板。
【発明の詳細な説明】
【技術分野】
【０００１】
本発明は、可動幅木装置付き足場板に関する。特に、建物の外壁面に沿って建設現場に仮設され、複数の鋼管及び足場部材を組み合わせて階層的に構成する枠組足場などに用いられる可動幅木装置付き足場板の構造に関する。
【背景技術】
【０００２】
例えば、建設現場に仮設される枠組足場は、対向させた建枠の両側垂直面を「交差筋交い」で結合して枠組を補強すると共に、建枠を上方へ必要な高さだけ順次継ぎ足すことによって構築されている。
【０００３】
近年では、足場などから作業員が墜落又は転落することを未然に防止する対策が強化されている。そして、足場の種類に対応した墜落防止措置が労働安全衛生規則で義務付けられている。例えば、枠組足場では、交差筋交いの下部の隙間からの墜落を防止するため、交差筋交いに加え、「下さん」や「幅木」の設置が義務付けられている。又、「手すり枠」の設置も義務付けられている。
【０００４】
この規則により、枠組足場では、対向する一対の幅木が立設するように垂直方向に延びて、略水平面に敷設された作業床の長手方向の両縁に一対の幅木を配置している。これにより、交差筋交いの下部の隙間からの墜落防止を強化できる。
【０００５】
一般に、このような幅木は、作業床として敷設された帯状に延びる鋼製の長尺の足場板が使用（流用）されている。そして、複数の幅木が長手方向に連設されて、所定の長さを有する、一対の幅木に防護される作業床を有する枠組足場を構成していた。
【０００６】
上述したような、足場板を使用した幅木は、足場バンドや番線を用いて、人手により枠組足場に取り付けている。しかし、このような幅木の取り付け作業は、非常に手間（時間）を要するばかりでなく、幅木を安定的に確実に取り付けるためには、熟練を要するという不具合があった。
【０００７】
上述したような不具合を解消するため、枠組足場に簡単に取り付けることができ、施工性が格段に向上すると共に、確実でばらつきの無い取り付けが可能な枠組足場用幅木が開示されている（例えば、特許文献１参照）。
【０００８】
特許文献１による枠組足場用幅木は、作業床の幅方向の両翼に配置される一対の長尺の傾斜幅木を備えている。これらの傾斜幅木は、その長手方向の両翼に一対の鉤状の係脱金物を取り付けている。そして、これらの係脱金物は、傾斜幅木の面から離間して、一対の足場支柱にその内側から係脱可能な半円弧状のフックを有している。又、このフックの先端縁は、斜めにカットした傾斜縁を形成している。
【０００９】
特許文献１による枠組足場用幅木は、傾斜幅木の片側を下げて、一方の係脱金物を一方の足場支柱に係止した後、他方の係脱金物を他方の足場支柱を挟むように落とし込むことにより、傾斜幅木を足場に簡単に設置できる、としている。
【００１０】
又、幅木がその長手方向に伸縮する可動幅木装置としては、可動フェンスの下側の隙間を塞いで小さな積み荷の落下を確実に防止し、可動フェンスの開閉の都度、設置又は撤去する必要のない可動幅木装置が開示されている（例えば、特許文献２参照）。
【００１１】
特許文献２による可動幅木装置は、ゲートを開閉する可動フェンスの門柱の下部に巻取部を取り付け、この巻取部から繰り出された幅木シート及び拘束ワイヤをフェンス本体の可動端の引き手柱に繋着している。幅木シートは、フェンス本体と床面との隙間を塞ぐように張設され、拘束ワイヤは、フェンス本体の下部背面に沿って張設される。巻取部は、幅木シート及び拘束ワイヤの内、幅木シートにのみ繰り出し方向の引っ張り力が作用した場合に、幅木シートを巻き取る巻取ドラムの回転を拘束するロック機構を備える。
【００１２】
特許文献２による可動幅木装置は、フェンス本体の開閉動作に追随して、幅木シートが巻取部により繰り出され、又は巻き取られるので、従来のように仮設板などを幅木として用いる場合と異なり、フェンス本体を開閉する都度に、仮設板を設置又は撤去する必要がないので便利である、としている。
【先行技術文献】
【特許文献】
【００１３】
【特許文献１】特開２００３−２１３９２７号公報
【特許文献２】特開平１１−１９０１３２号公報
【発明の概要】
【発明が解決しようとする課題】
【００１４】
特許文献１による枠組足場用幅木は、傾斜幅木を足場に簡単に設置又は撤去できるが、結局は、傾斜幅木を現場で組み立てる必要があり、傾斜幅木を枠組足場に搬入又は搬出する必要があるという問題がある。
【００１５】
幅木を足場板と一体に構成すれば、足場板と幅木を別々に搬入又は搬出する必要が無くなり、かつ、足場板の保管スペースを幅木の保管スペースとして利用でき、枠組足場の構成品の保管スペースを削減できる。又、幅木を足場板と一体に構成し、幅木を容易に設置できるようになれば、設置時間を短縮できる。
【００１６】
又、特許文献２による可動幅木装置は、枠組足場用幅木として利用することは可能である。しかし、特許文献２による可動幅木装置は、その構造からして、幅木シートの下端縁と床面（作業床）との間に隙間ができ、小さな積み荷程度の落下を防止することはできても、小さいレンチ（工具）などの落下を防止することは困難であるという問題がある。そして、以上のことが本発明の課題といってよい。
【００１７】
本発明は、このような課題に鑑みてなされたものであり、幅木を容易に設置できると共に、小型の物品が落下することを防止する可動幅木装置付き足場板を提供することを目的とする。
【課題を解決するための手段】
【００１８】
本発明者は、作業床を構成する足場板の幅方向の片翼に昇降自在な可動幅木装置を設けると共に、可動幅木装置の上部に防護ネットを巻回状態で配置し、可動幅木装置が起立した状態では、作業床の床面と幅木の間隙を防護ネットで覆うことにより、これらの課題が解決可能なことを見出し、これに基づいて、以下のような新たな可動幅木装置付き足場板を発明するに至った。
【００１９】
（１）本発明による可動幅木装置付き足場板は、略水平状態に配置され、帯状に延びる長尺の足場板と、この足場板の幅方向の側面に連結した昇降自在な可動幅木装置と、を備え、この可動幅木装置は、前記足場板の長手方向の長さと略同じ長さを設けるシート状の防護ネットを格納する巻取り装置と、この巻取り装置を前記足場板に対して略平行に移動可能な昇降機構と、を有し、前記巻取り装置は、前記防護ネットを巻回する方向に回転力を付勢された回転ドラムと、この回転ドラムを囲うと共に、この回転ドラムの軸方向と略平行に開口し、前記防護ネットが出入り可能な開口部を下端部に設ける筒状のケースと、このケースの両端部を支持すると共に、当該ケースの周囲を囲う幅木ケースと、を有し、前記幅木ケースが引き上げられて前記足場板から所定の高さに維持された状態では、前記防護ネットは、その端部が前記巻取り装置から引き出されて、前記幅木ケースと前記足場板との間隙を防護するように、当該防護ネットの端部を前記足場板の側面に近接させる。
【００２０】
（２）前記昇降機構は、一端部が前記足場板の側面に回動自在に連結する一対の対向する第１アームと、一端部が前記第１アームの他端部に回動自在に連結し、他端部が前記幅木ケースの長手方向の両翼に回動自在に連結する一対の対向する第２アームと、を備え、前記第１アームと前記第２アームとが直列に起立した状態では、前記幅木ケースが前記足場板から所定の高さに維持され、前記第１アームと前記第２アームの連結点が互いに近づく状態では、前記幅木ケースが前記足場板に向かって移動することが好ましい。
【００２１】
（３）前記防護ネットは、その端部に取り付けられ、前記ケースの開口部に当接して当該防護ネットの巻き取りを阻止すると共に、当該防護ネットの引き出しが容易な把持バーを有することが好ましい。
【００２２】
（４）前記第１アームは、Ｃ型チャンネル状の枠部材からなり、前記第２アームは、対向する一組の帯板部材からなり、一対の前記第１アームは、前記把持バーの両端部を案内するように、それらの開口を対向配置し、一対の前記第２アームは、前記把持バーの両端部を案内するように、一組の前記帯板部材が所定の離間距離を有して配置されることが好ましい。
【発明の効果】
【００２３】
本発明による可動幅木装置付き足場板は、足場板に連結した昇降自在な可動幅木装置を備え、この可動幅木装置は、防護ネットを格納すると共に、足場板に対して略平行に移動可能な巻取り装置を上部に有するので、巻取り装置が引き上げられて足場板から所定の高さに維持された状態では、巻取り装置を幅木として機能できる。
【００２４】
又、本発明による可動幅木装置付き足場板は、可動幅木装置が起立した状態で、防護ネットの端部を巻取り装置から引き出して、足場板と巻取り装置の間隙を防護ネットで覆うことにより、小型の物品が落下することを防止できる。
【図面の簡単な説明】
【００２５】
【図１】本発明の一実施形態による可動幅木装置付き足場板を適用した枠組足場の構成を示す斜視図である。
【図２】前記実施形態による可動幅木装置付き足場板の構成を示す斜視図である。
【図３】前記実施形態による可動幅木装置付き足場板の構成を示す正面図であり、左側の要部を示すと共に、巻取り装置を縦断面で示している。
【図４】前記実施形態による可動幅木装置付き足場板の構成を示す左側面図である。
【図５】前記実施形態による可動幅木装置付き足場板の要部を示す正面図であり、巻取り装置が足場板から所定の高さに維持された状態図である。
【図６】前記実施形態による可動幅木装置付き足場板の要部を示す正面図であり、巻取り装置が足場板に収納された状態図である。
【図７】前記実施形態による可動幅木装置に備わる巻取り装置の構成を示す左側面図である。
【図８】前記実施形態による可動幅木装置付き足場板の要部を示す左側面図であり、巻取り装置が足場板に収納された状態図である。
【図９】前記実施形態による可動幅木装置付き足場板の概略の構成を示す正面図であり、図９（Ａ）は、巻取り装置が足場板に収納された状態図、図９（Ｂ）は、巻取り装置が上昇する途中の状態図、図９（Ｃ）は、上昇した巻取り装置から防護ネットが引き出されている状態図、図９（Ｄ）は、巻取り装置と足場板の間に防護ネットを張設した状態図である。
【発明を実施するための形態】
【００２６】
以下、図面を参照して本発明を実施するための形態を説明する。
［可動幅木装置付き足場板の構成］
（枠組足場の構成）
最初に、本発明の一実施形態による可動幅木装置付き足場板が適用される枠組足場の構成を説明する。図１は、本発明の一実施形態による可動幅木装置付き足場板を適用した枠組足場の構成を示す斜視図である。図２は、前記実施形態による可動幅木装置付き足場板の構成を示す斜視図である。
【００２７】
図１を参照すると、実施形態による枠組足場１００は、複数の鋼管及び足場部材を組み合わせて階層的に構成している。枠組足場１００は、一対の鋼管を門型に溶接した複数の建枠１ａを備えている。実施形態による枠組足場１００は、建枠１ａを三段に積層している。最下段の建枠１ａには、ジャッキベース１１ａを設けている。最上段の建枠１ａには、手すり１２ａを設けている。
【００２８】
又、図１を参照すると、建物（図示せず）の外壁面に沿って、複数の建枠１ａを仮設している。実施形態による枠組足場１００は、六列の建枠１ａを仮設している。そして、列方向に対向する一対の建枠１ａ・１ａが交差筋交い１ｂで結合されて、枠組足場１００の枠組が補強されている。
【００２９】
図１を参照すると、枠組足場１００は、略水平状態に作業床２を配置している。実施形態による枠組足場１００は、作業床２を三段に階層している。実態として、作業床２は、列方向に対向する一対の建枠１ａ・１ａに敷設される、帯状に延びる長尺の足場板２ａで構成されている。
【００３０】
図１又は図２を参照すると、枠組足場１００は、作業床２の長辺側の両縁部から略垂直方向に、一対の可動幅木装置３０・３０を立設している。対向するこれらの可動幅木装置３０・３０は、作業床２の両翼を防護している。又、足場板２ａは、それらの長手方向にも連設されている。これにより、一対の可動幅木装置３０・３０は、交差筋交い１ｂの下部の隙間からの墜落を防止できる。なお、図１では、一方の可動幅木装置３０の図示を省略している。又、図２では、一方の可動幅木装置３０を部分的に示している。
【００３１】
図１を参照すると、可動幅木装置３０の上方には、可動幅木装置３０と略平行に「下さん５」を配置している。又、作業床２には、階上又は階下に作業員が移動可能な一組の階段枠６・７を設けている。
【００３２】
（可動幅木装置の構成）
次に、本発明の一実施形態による可動幅木装置の構成を説明する。図３は、前記実施形態による可動幅木装置付き足場板の構成を示す正面図であり、左側の要部を示すと共に、巻取り装置を縦断面で示している。
【００３３】
図４は、前記実施形態による可動幅木装置付き足場板の構成を示す左側面図である。図５は、前記実施形態による可動幅木装置付き足場板の要部を示す正面図であり、巻取り装置が足場板から所定の高さに維持された状態図である。
【００３４】
図６は、前記実施形態による可動幅木装置付き足場板の要部を示す正面図であり、巻取り装置が足場板に収納された状態図である。図７は、前記実施形態による可動幅木装置に備わる巻取り装置の構成を示す左側面図である。図８は、前記実施形態による可動幅木装置付き足場板の要部を示す左側面図であり、巻取り装置が足場板に収納された状態図である。
【００３５】
図２から図５を参照すると、実施形態による可動幅木装置３０は、シート状の防護ネット４ｎを格納する巻取り装置４０を有している。防護ネット４ｎは、足場板２ａの長手方向の長さと略同じ長さを有している。又、可動幅木装置３０は、足場板２ａの幅方向の側面２１に連結し、足場板２ａに対して巻取り装置４０を略平行に移動可能な昇降機構３を有している。
【００３６】
（昇降機構の構成）
図２から図５を参照すると、昇降機構３は、一対の対向する第１アーム３１・３１を備えている。第１アーム３１は、Ｃ型チャンネル状の枠部材で構成されている。そして、一対の第１アーム３１・３１は、それらの開口３１１・３１１が対向するように配置されている。
【００３７】
又、図２から図５を参照すると、昇降機構３は、一対の対向する第２アーム３２・３２を備えている。第２アーム３２は、対向する一組の帯板部材３２０・３２０で構成されている。そして、一対の第２アーム３２・３２は、一組の帯板部材３２０・３２０が所定の離間距離を有して配置されている。
【００３８】
図２又は図４及び図８を参照すると、足場板２ａは、一対の軸ピン２１ａ・２１ａを側面２１から突出している。軸ピン２１ａは、足場板２ａの側面に片持ち状に支持されている。そして、第１アーム３１の一端部は、軸ピン２１ａに回動可能に連結している。
【００３９】
又、図４を参照すると、足場板２ａは、ストップピン２ｐを側面２１から突出している。図３を参照すると、第１アーム３１の背面にストップピン２ｐが当接すると、軸ピン２１ａを中心に、第１アーム３１が垂直状態以上に回動することを阻止できる。なお、図示はしないが、図３の右側にも同様のストップピン２ｐを設けており、第１アーム３１が垂直状態以上に回動することを阻止できる。
【００４０】
図２又は図４を参照すると、昇降機構３は、第１アーム３１の他端部と第２アーム３２の一端部とを回動可能に連結する連結ピン３１ａを有している。連結ピン３１ａは、実体としてリベットが好ましく用いられる。そして、基端部にフランジ部（鍔部）３１ｆを形成する連結ピン３１ａが帯板部材３２０の外壁から挿入され、帯板部材３２０と第１アーム３１の側面板３１０を貫通した後に、連結ピン３１ａの先端部を側面板３１０の内壁にカシメ付けることにより、側面板３１０と帯板部材３２０とを回動可能に連結している。
【００４１】
同様に、図２又は図４及び図７を参照すると、昇降機構３は、第２アーム３２の他端部と後述する幅木ケース４３の端部とを回動可能に連結する連結ピン３２ａを有している。連結ピン３２ａは、実体としてリベットが好ましく用いられる。そして、基端部にフランジ部（鍔部）３２ｆを形成する連結ピン３２ａが幅木ケース４３の外壁から挿入され、幅木ケース４３と帯板部材３２０を貫通した後に、連結ピン３２ａの先端部を帯板部材３２０の内壁にカシメ付けることにより、幅木ケース４３と帯板部材３２０とを回動可能に連結している。
【００４２】
図２又は図３及び図６を参照すると、足場板２ａ、幅木ケース４３、一対の第１アーム３１・３１、及び一対の第２アーム３２・３２は、足場板２ａと幅木ケース４３とが平行に移動する平行クランク機構（又はパンタグラフ機構）を構成している。そして、図２又は図３に示されるように、第１アーム３１と第２アーム３２とが直列に起立した状態では、幅木ケース４３は、足場板２ａから所定の高さに維持される。
【００４３】
図３又は図５を参照すると、第２アーム３２の先端部には、鉤状の爪３２ｎを設けている。一方、図３を参照すると、後述する保持ブロック４４には、爪３２ｎを係止可能な鉤状の爪４４ｎを設けている。第２アーム３２の爪３２ｎに爪４４ｎが当接すると、連結ピン３２ａを中心に、第２アーム３２が垂直状態以上に回動することを阻止できる。なお、図示はしないが、図３の右側にも同様の爪３２ｎ及び爪４４ｎを設けており、第２アーム３２が垂直状態以上に回動することを阻止できる。
【００４４】
一方、図９（Ｂ）に示されるように、第１アーム３１と第２アーム３２の連結点が互いに近づく状態では、幅木ケース４３は、足場板２ａに向かって平行に移動できる。そして、図６又は図８に示されるように、第１アーム３１と第２アーム３２が鋭角に屈折された状態で、幅木ケース４３を足場板２ａの側面２１に略収納できる。
【００４５】
図２又は図３及び図６を参照すると、帯板部材３２０は、連結ピン３２ａが係合する異形穴３２１を一方の端部に形成している。連結ピン３２ａの軸部は、異形穴３２１に形成された円弧部に回動可能に連結している。連結ピン３２ａは、その軸部の外周が所定幅の弦でカットされ、異形穴３２１に形成された所定幅の切り欠き部に嵌合して、第１アーム３１と第２アーム３２との直列状態が維持される。つまり、幅木ケース４３は、図３又は図５に示された状態より、若干下がった位置で保持される。
【００４６】
（巻取り装置の構成）
図１から図４及び図６を参照すると、巻取り装置４０は、回転ドラム４１と筒状のケース４２を有している。ケース４２は、回転ドラム４１の周囲を囲っている。又、巻取り装置４０は、ケース４２の周囲を囲うＵ字状の幅木ケース４３を有している。
【００４７】
図２又は図３を参照すると、幅木ケース４３は、長手方向の両翼に一対の保持ブロック４４・４４を内部に取り付けている。これらの保持ブロック４４・４４は、固定軸４５の両端部を支持している。固定軸４５は、軸受４５ａを介して、回転ドラム４１を回転可能に連結している。又、一対の保持ブロック４４・４４は、ケース４２の両端部を支持している。
【００４８】
図７を参照すると、回転ドラム４１は、シート状の防護ネット４ｎを巻回している。図３を参照すると、回転ドラム４１は、コイルばね４６を内蔵している。コイルばね４６は、固定軸４５の外周を巻回するように配置されている。コイルばね４６の一端部は、固定軸４５に固定され、コイルばね４６の他端部は、回転ドラム４１に固定されている。そして、コイルばね４６は、防護ネット４ｎを回転ドラム４１に巻回する方向に回転力を付勢している。なお、図３の右側にも、図３に示した構成のコイルばね４６が配置されている。
【００４９】
図４又は図７を参照すると、ケース４２は、その下端部に開口部４２１を設けている。開口部４２１は、回転ドラム４１の軸方向と略平行に開口している（図３参照）。又、開口部４２１には、防護ネット４ｎが出入り可能になっている。
【００５０】
図４又は図７及び図８を参照すると、防護ネット４ｎは、その端部に把持バー４ｐを取り付けている。把持バー４ｐは、ケース４２の開口部４２１に当接して、防護ネット４ｎの巻き取りを阻止できる。又、把持バー４ｐを把持して、防護ネット４ｎを容易に引き出すことができる。なお、図２又は図５を参照すると、把持バー４ｐを把持し易いように、幅木ケース４３の中央部の側面には、切り欠き部４３１を開口している。
【００５１】
図３を参照すると、把持バー４ｐを把持して、巻取り装置４０から防護ネット４ｎを引き出す場合に、把持バー４ｐを任意の位置で停止できると共に、この停止位置から把持バー４ｐを少し引くと、防護ネット４ｎが回転ドラム４１に巻回されるように、図示しないクラッチ装置を回転ドラム４１の内部に設けている。
【００５２】
図３を参照して、例えば、前記クラッチ装置は、固定軸４５と同軸にブレーキシャフトを回転ドラム４１の中央部に設け、このブレーキシャフトに捩りコイルばね状のブレーキばねを締着又は弛緩可能に嵌め合わせ、防護ネット４ｎの引き出し時と巻き取り時に、このブレーキばねを弛緩させ、防護ネット４ｎの停止時に、このブレーキばねを締着させるカム装置を設けてもよい。なお、ブレーキシャフト、ブレーキばね、及びカム装置は、いずれも図示していない。
【００５３】
図３を参照して、前記クラッチ装置は、ブレーキシャフトに円筒状のカム筒を摺動自在に嵌め合わせ、このカム筒と一体に回転するように、ブレーキばねの一端部をカム筒に嵌め合わせ、カム筒の外周にカム溝を設けると共に、回転ドラム４１と一体に回転するカム突起をこのカム溝に連結し、このカム突起は、カム溝に案内されて、防護ネット４ｎの引き出し時と巻き取り時に、このブレーキばねの両端部のいずれか一方に作用してブレーキばねを弛緩させ、防護ネット４ｎの停止時に、ブレーキばねの一端部に作用してブレーキばねを締着させるように構成することもできる。
【００５４】
例えば、前記カム溝は、カム突起の行き行程と帰り行程が不可逆なループしたハート状のカム溝からなることが好ましく、このハート状のカム溝にＶ字状に分岐するＶ字形分岐片を設け、カム突起がＶ字形分岐片の一方の頂点に位置しているときは、ブレーキばねが弛緩して、回転ドラム４１から防護ネット４ｎを引き出すことができる。
【００５５】
又、防護ネット４ｎを引き出す過程で、把持バー４ｐを少しだけ戻すと、カム突起がＶ字形分岐片の底部に移動することにより、ブレーキばねが締着して、防護ネット４ｎを所定の位置に停止できる。防護ネット４ｎが静止した状態から把持バー４ｐを引くと、カム突起がＶ字形分岐片の他方の頂点に移動し、ブレーキばねが弛緩して、防護ネット４ｎを回転ドラム４１に巻き取ることができる。
【００５６】
このように、巻取り装置４０は、防護ネット４ｎを引き出して、任意の位置で停止でき、把持バー４ｐを引いて、防護ネット４ｎを巻き取る動作を繰り返すことができる（図３参照）。
【００５７】
図３又は図４を参照すると、防護ネット４ｎは、網目が細かいメッシュシートを用いることが好ましく、例えば、このメッシュシートは、屈曲容易な強靭性の繊維で格子状に織られている。強靭性の繊維とは、靭性の高い繊維であってよく、スチール繊維、カーボン繊維、ガラス繊維、ポリエステルやアラミド繊維などの有機繊維、その他の繊維を含むことができる。
【００５８】
［可動幅木装置付き足場板の作用］
次に、実施形態による可動幅木装置付き足場板の操作方法を説明しながら、可動幅木装置付き足場板の作用及び効果を説明する。図９は、前記実施形態による可動幅木装置付き足場板の概略の構成を示す正面図であり、図９（Ａ）は、巻取り装置が足場板に収納された状態図、図９（Ｂ）は、巻取り装置が上昇する途中の状態図、図９（Ｃ）は、上昇した巻取り装置から防護ネットが引き出されている状態図、図９（Ｄ）は、巻取り装置と足場板の間に防護ネットを張設した状態図である。
【００５９】
図９（Ａ）を参照して、足場板２ａを枠組足場１００（図１参照）に設置した段階では、第１アーム３１と第２アーム３２が鋭角に屈折され、巻取り装置４０は、足場板２ａの側面２１に略収納されている（図８参照）。
【００６０】
次に、図９（Ｂ）を参照して、幅木ケース４３を上方に引き上げると、足場板２ａに対して巻取り装置４０を略平行に移動できる。そして、図３を参照して、第１アーム３１の回転がストップピン２ｐで阻止されると共に、第２アーム３２の回転が爪４４ｎで阻止されると、図９（Ｃ）に示されるように、第１アーム３１と第２アーム３２が垂直状態に配置される。次に、図９（Ｃ）を参照して、巻取り装置４０が最も上昇した位置から若干下げると、第１アーム３１と第２アーム３２が係合して、巻取り装置４０が所定の高さに維持される（図３参照）。
【００６１】
次に、図９（Ｃ）を参照して、把持バー４ｐを把持して、防護ネット４ｎを巻取り装置４０から引き出す。図２を参照すると、一対の第１アーム３１・３１は、把持バー４ｐの両端部を案内するように、それらの開口３１１・３１１を対向配置していると共に、一対の第２アーム３２・３２は、把持バー４ｐの両端部を案内するように、一組の帯板部材３２０・３２０が所定の離間距離を有して配置されている。したがって、防護ネット４ｎを巻取り装置４０から引き出すことが容易であり、便利である。
【００６２】
次に、図９（Ｄ）を参照して、把持バー４ｐを把持して防護ネット４ｎを引き出す過程において、把持バー４ｐを少しだけ戻すと、前述したように、防護ネット４ｎを停止できる。把持バー４ｐは、足場板２ａに近接した位置で停止させることが好ましく、巻取り装置４０と足場板２ａの間に防護ネット４ｎを張設できる（図４参照）。
【００６３】
図９（Ｄ）を参照して、防護ネット４ｎが静止した状態から把持バー４ｐを引くと、防護ネット４ｎを巻取り装置４０に巻き取って格納できる（図７参照）。そして、第１アーム３１と第２アーム３２を屈折して、図９（Ａ）に示すように、可動幅木装置３０を初期の状態に復帰できる。
【００６４】
実施形態による可動幅木装置付き足場板は、足場板２ａに連結した昇降自在な昇降機構３を備え、可動幅木装置３０は、防護ネット４ｎを格納すると共に、足場板２ａに対して略平行に移動可能な巻取り装置４０を上部に有するので、巻取り装置４０が引き上げられて足場板２ａから所定の高さに維持された状態では、巻取り装置４０を幅木として機能できる。
【００６５】
又、実施形態による可動幅木装置付き足場板は、昇降機構３が起立した状態で、防護ネット４ｎの端部を巻取り装置４０から引き出して、足場板２ａと巻取り装置４０の間隙を防護ネット４ｎで覆うことにより、小型の物品が落下することを防止できる。
【００６６】
実施形態による可動幅木装置付き足場板は、幅木相当品と足場板とを一体に構成しているので、従来のように、足場板と幅木を別々に搬入又は搬出する必要が無くなり、かつ、足場板の保管スペースを幅木の保管スペースとして利用できる。そして、枠組足場の構成品の保管スペースを削減できる。
【００６７】
又、実施形態による可動幅木装置付き足場板は、幅木相当品と足場板とを一体に構成しているので、工具などを使用することなく、幅木相当品を容易に設置でき、設置時間を短縮できる。
【００６８】
実施形態による可動幅木装置付き足場板は、可動幅木装置の昇降機構として、一対の第１アームと一対の第２アームとが連動して屈曲する平行クランク機構を開示したが、これに限定されない。可動幅木装置の昇降機構として、複数の管体が軸方向に連結した一対の伸縮ロッドを用いてもよい。
【００６９】
管体は、複数の丸パイプで構成してもよく、複数の角パイプで構成してもよい。又、一対の対向する伸縮ロッドは、複数の管体を軸方向に連設すると共に、複数の管体の内の末端の管体を足場板の側面に支持し、この末端の管体に対して、複数の管体の内の先頭の管体に向けて複数の管体を引き出し自在に連結することが好ましい。
【００７０】
この伸縮ロッドは、末端の管体から先頭の管体に向けて、口径が段階的に小さくなる、相互に挿嵌された複数の管体で構成することができ、これらの管体は、先頭の管体に向けて一方の端部が縮径された縮径端部と、末端の前記管体に向けて他方の端部が拡径された拡径端部と、を有し、縮径端部の内壁に拡径端部の外壁が阻止されて、伸縮ロッドが伸長した長さが規定される。
【００７１】
更に、これらの伸縮ロッドは、対向するスリット状の溝を開口することが好ましく、これらの溝は、把持バー４ｐの両端部を案内できる程度の巾を有することが好ましい。これにより、防護ネット４ｎを巻取り装置４０から引き出すことが容易であり、便利になる。
【符号の説明】
【００７２】
２ａ  足場板
３  昇降機構
４ｎ  防護ネット
２１  側面（足場板の側面）
３０  可動幅木装置
４０  巻取り装置
４１  回転ドラム
４２  ケース
４３  幅木ケース
４２１  開口部（ケースの開口部）
【図１】
2012167487.tif 000003
【図２】
2012167487.tif 000004
【図３】
2012167487.tif 000005
【図４】
2012167487.tif 000006
【図５】
2012167487.tif 000007
【図６】
2012167487.tif 000008
【図７】
2012167487.tif 000009
【図８】
2012167487.tif 000010
【図９】
2012167487.tif 000011